(57)【要約】　　　（修正有）【課題】建築用パネルの施工時に水切部材の傷つきを防止し、意匠性の向上した壁部材を得る壁水切構造を提供する。【解決手段】ほぼ、壁面に直交して取り付けた掛止片４ｂと、壁面に固定する固定面とを持つ止金４と、その掛止片に設けられた掛止爪４ｃに、弾性変形を介して引っ掛かる、係止爪３ｃを持つ被覆部材３から構成される壁部材とする。【選択図】　　　　　　図１
2004019432.tif 000002
【特許請求の範囲】
【請求項１】
ほぼ、壁面に直交して取り付けた掛止片と、壁面に固定する固定面、とを持つ止金と、その掛止片に設けられた掛止爪に、弾性変形を介して引っ掛かる係止爪を持つ、被覆部材からなる事を特徴とする壁部材。
【請求項２】
前記の止金の固定面を、壁下地に固定する事を特徴とする、特許請求の範囲第１項記載の壁部材。
【請求項３】
前記の止金の固定面を、建築用パネル面に固定する事を特徴とする、特許請求の範囲第１項記載の壁部材。
【請求項４】
建築用パネルと他の建築用パネルの間に構成する、目地部に入れ込む、前記の止金の固定面に案内溝を形成した事を特徴とする、特許請求の範囲第３項記載の壁部材。
【請求項５】
被覆部材の係止爪を、建築用パネル面と止金間に差し込む差込端を形成する事を特徴とする、特許請求の範囲第１〜４項記載の壁部材。
【請求項６】
止金の掛止爪が弾性変形し、前記被覆部材の差込端が差し込まれる事を特徴とする、特許請求の範囲第５項記載の壁部材。
【請求項７】
建築用パネルの下方の切断端と、その下方の壁面の構成要素との間を、上下方向に接続する水切部材を介して接続し、上側の建築用パネルの下端部を、特許請求の範囲第１〜６項記載の壁部材により被覆する事を特徴とする壁水切構造。
【発明の詳細な説明】
【０００１】
【発明の属する技術分野】
この発明は、
ａ．建築用パネルと
イ．他の建築用パネル、
ロ．あるいは、土台部との間を、上下方向に接続し、
ｂ．水切部材を介して、
ｃ．上側の建築用パネルの下端部を被覆する、接続部材に関する。
【０００２】
【従来の技術】
従来、上側の建築用パネルの下端部を被覆する、上下方向の接続部材では、特開２００１−６５１４４号に示す、次の様な技術が知られている、
ａ．上方の外壁パネル下端を支持する断面略溝状の支持部と、
ｂ．下方の外壁パネル上端をカバーする該支持部下方のカバー部とを有して、
ｃ．上下にそれぞれ設置される外壁パネル間の縦継手部の水切を行う長尺状の外壁の水切り部材であって、
ｄ．前記支持部を、
イ．その溝の底面となる底片の前後略中間の位置に、
ロ．外壁パネル下端面を支持する上部が広幅の支持片を突設させて、
ｅ．該外壁パネルの背面側からカバー部へ向け水抜きを行う水抜き孔を設けた外壁の水切り部材。
【０００３】
【発明が解決しようとする課題】
従来の技術には、次の問題がある。
ａ．外壁パネル間の上に、長尺状の水切り部材を設置する為に、
イ．上方の外壁パネルの施工時に、長尺状の水切り部材を傷つける問題があり、
ロ．施工性が落ちる問題があり、
ｂ．断面略溝状の支持部とする為に、
イ．上方の外壁パネルより雨水が、その支持部に溜まり、
ロ．縦継手部に雨水の滞留が起こり、外壁材の腐食等の原因となる恐れがあり、
ｃ．その対策として水抜き孔を設けて、前記外壁パネルの背面側からカバー部へ向け水抜きを行う、長尺状の水切り部材としているが、
イ．このような長尺状の部材は、ロールフォーミング等の連続成形の生産手段によるため、
ロ．断続的な水抜き孔を開けるのは一般に困難であり、生産性が低下し、
ハ．水抜き孔を大きく開けると、部材の強度が落ち、生産、運搬、施工途中の変形を招き、
ニ．また、水抜き孔を小さく開けると、ゴミ、埃等による穴詰まりを招き、雨水の滞留を発生させる。
【０００４】
【課題を解決するための手段】
この発明による壁部材は、ほぼ、壁面に直交して取り付けた掛止片と、壁面に固定する固定面とを持つ止金と、その掛止片に設けられた掛止爪に、弾性変形を介して引っ掛かる、係止爪を持つ被覆部材から構成される事を特徴とする壁部材とする。
【０００５】
【発明の実施の形態】
Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板、
【０００６】
Ｂ．この発明に使用される釘打ち等の固定手段は、
ａ．次に代表される、固定用具を使用する。
イ．釘
ロ．タッピングビス
ハ．ホッチキス
ニ．木ネジ
ホ．ポップリベット等
【０００７】
Ｃ．この発明に使用される裏打材は、
ａ．次に代表される発泡性樹脂と、
イ．硬質発泡ウレタン樹脂
ロ．硬質発泡ヌレート樹脂
ハ．発泡フェノール樹脂
ニ．発泡スチレン樹脂等
ｂ．次に代表される裏面材とを積層している。
イ．はり合わせアルミニウム箔
ロ．スチールペーパー
ハ．ポリエチコートクラフト紙
ニ．アルミ蒸着紙
ホ．合成樹脂シート等
【０００８】
【実施例】
発明の実施例について、次の、実施例１、実施例２、実施例３、実施例４、及び実施例５により、図面を参照して説明する。
【０００９】
実施例１
図１，図２，図３，図４，図５，図６，及び図７は、この発明の実施例１を示すものである。
【００１０】
Ａ．図７に示す、実施例１での建築用パネル１は、
ａ．金属板６による表面材１ａを成形して、
ｂ．次の様な、ほぼ平坦な前面基部１ｂを構成し、
イ．裏面側に開口し、浅い皿状に表面側に突起する、細い不定形の隅丸矩形を、
ロ．その長辺側に間隔を開け、ほぼ等間隔に連続形成し、
ハ．それらを前面基部１ｂの幅方向に間隔を開けた、等間隔に並列したエンボス模様６ｂとし、
ニ．そのエンボス模様６ｂをつけて、前記の前面基部１ｂを装飾面１ｃとし、
ｃ．その前面基部１ｂの一側端を、
イ．裏面側に折り狭め、
ロ．さらに、クランク状に表面側に折り曲げて、
ハ．そして、Ｕ字形に表面側に折り返し、
ニ．その上、その先端を裏面側に折り狭めた差込片１ｅを持つ、差込部１ｄを形成し、
ｄ．前記、前面基部１ｂの他側端を、
イ．二段階のクランク状に裏面側に折り曲げ、
ロ．そして、Ｕ字形に裏面側に折り曲げて、
ハ．さらに、Ｕ字形に表面側に折り返した嵌合溝１ｇと、
ニ．その嵌合溝１ｇを延長し、先端を表面側に折り狭めた釘打片１ｈとを持つ、釘打部１ｆを形成し、
ｅ．そして、その成形した表面材１ａの裏面側に、
イ．裏面紙１ｊにより覆われた発泡ウレタン樹脂による、裏打材１ｉを形成し、
ｆ．その長手方向の両端を切断して、切断端１ｋを形成している。
【００１１】
Ｂ．図４に示す、実施例１での水切部材２は、
ａ．長尺の金属板６による装飾材６ａを成形して、
ｂ．その一側端を表面側に折り狭めた、固定片２ａを形成し、
ｃ．その他側端をクランク状に表面側に折り曲げて、その幅に応じたエンボス模様６ｂを持つ被覆片２ｂを形成し、
ｄ．さらにクランク状に裏面側に折り曲げ、その先端を裏面側に折り狭めた水切片２ｃを形成する。
【００１２】
Ｃ．図５に示す、実施例１での被覆部材３は、
ａ．長尺の金属板６による装飾材６ａを成形して、
ｂ．前記水切部材２のエンボス模様６ｂと同様の、エンボス模様６ｂを持つ被覆面３ａと、
ｃ．その両側端をくの字形に裏面側に折り曲げて、係止片３ｂとし、
ｄ．その先端を鋭角的に裏面側に折り曲げて、係止爪３ｃを形成する。
【００１３】
Ｄ．図６に示す、実施例１の止金４は、
ａ．略矩形の金属板６を成形して、
ｂ．ほぼ平坦で細長な矩形の前当面４ｄを形成し、
ｃ．その一長辺を裏面側にＬ字形に折り曲げて、底部面４ｅを形成し、
ｄ．さらにＬ字形に裏面側に折り曲げて固定面４ａを形成し、
ｅ．前記の前当面４ｄの両短辺をＬ字形に裏面側に折り曲げて、次の構成の掛止片４ｂを形成し、
イ．前記の前当面４ｄ側を上辺とする等脚台形とし、その底辺側の両隅角部を掛止爪４ｃとする。
【００１４】
Ｅ．図１，図２，及び図３に示す実施例１の、建築用パネル１と他の建築用パネル１との切断端１ｋ間の接続部は、次の様に施工する。
ａ．壁下地５の柱５ｂの外壁側に、複数の胴縁５ａを施工し、
ｂ．その胴縁５ａの外壁側に、
イ．外側に前面基部１ｂを向けて固定した、建築用パネル１の嵌合溝１ｇに、
ロ．他の建築用パネル１の差込片１ｅを差込んで、
ハ．その釘打片１ｈを釘打ち等により固定し、
ニ．上記を繰り返して、前記の建築用パネル１を複数施工し、
ｃ．その複数施工した建築用パネル１の切断端１ｋを、前記の水切部材２の被覆片２ｂにより覆い、その固定片２ａを釘打ち等により前記の胴縁５ａに固定し、
ｄ．その固定した水切部材２の固定片２ａに、前記の止金４の固定面４ａを合わせて釘打ち等により固定し、同様に複数の止金４を固定する。
ｅ．前記の固定した、水切部材２の固定片２ａと止金４の掛止片４ｂの先端との間に、他の建築用パネル１を上記したように複数施工し、
ｆ．前記の固定した止金４の掛止片４ｂに、次の様に、前記の被覆部材３を被せる。
イ．被覆部材３の両係止片３ｂ間に、止金４の掛止片４ｂを入れて押しつけ、
ロ．掛止片４ｂにより、両係止片３ｂが押し広げられて、被覆部材３が定位置まで押し込まれ、
ハ．両係止片３ｂが窄まり、その係止爪３ｃと、止金４の掛止爪４ｃとが引っ掛かり固定される。
【００１５】
実施例２
図４，図７，図８，図９，図１０，図１１，及び図１２は、この発明の実施例２を示すものである。
【００１６】
Ａ．実施例２の建築用パネル１は、図７に示す、実施例１と同じものである。
【００１７】
Ｂ．実施例２の水切部材２は、図４に示す、実施例１と同じものである。
【００１８】
Ｃ．図１１に示す、実施例２の被覆部材３は、
ａ．長尺の金属板６による装飾材６ａを成形して、
ｂ．前記水切部材２のエンボス模様６ｂと同様の、エンボス模様６ｂを持つ被覆面３ａと、
ｃ．その一側端を、くの字形に裏面側に折り曲げた、次の係止片３ｂとし、
イ．その先端を鋭角的に裏面側に折り曲げて差込端３ｄとし、
ロ．さらに、その先端を鋭角に裏面側に折り曲げて係止爪３ｃを形成し、
ｄ．他側端をくの字形に裏面側に折り曲げて、前者より短い係止片３ｂとし、
イ．その先端を鋭角的に裏面側に折り曲げて、係止爪３ｃを形成する。
【００１９】
Ｄ．図１２に示す、実施例１の止金４は、
ａ．略矩形の金属板６を成形して、
ｂ．ほぼ平坦で細長な矩形の前当面４ｄを形成し、
ｃ．その一長辺を裏面側にＬ字形に折り曲げて、底部面４ｅを形成し、
ｄ．さらに、クランク状に裏面側に折り曲げて、底段面４ｆを形成し、
ｅ．さらにＬ字形に裏面側に折り曲げて固定面４ａを形成し、
ｆ．前記の前当面４ｄの両短辺をＬ字形に裏面側に折り曲げて、次の構成の掛止片４ｂを形成し、
イ．前記の前当面４ｄ側を上辺とする略不等脚台形とし、
ロ．その底部面４ｅ側の脚辺に鋭角的な掛止爪４ｃを形成し、
ハ．他の脚辺を鈍角で直線から、くの字形に曲がる曲線とし、さらに、鋭角的に曲がり、クランク状の掛止爪４ｃを形成する。
【００２０】
Ｅ．図８，図９，及び図１０に示す実施例２の、土台部における建築用パネル１の切断端１ｋは、次の様に施工する。
ａ．基礎５ｄの上に施工した、壁下地５の土台５ｃの外壁側に、胴縁５ａを施工し、
ｂ．その基礎５ｄの外壁側の上隅角と、その胴縁５ａの外壁側とを、前記の水切部材２の被覆片２ｂと固定片２ａとにより覆い、その固定片２ａを釘打ち等により前記の胴縁５ａに固定し、
ｃ．その固定した水切部材２の固定片２ａに、前記の止金４の固定面４ａを合わせて釘打ち等により固定し、同様に複数の止金４を固定する。
ｄ．前記の固定した、水切部材２の固定片２ａと止金４の掛止片４ｂの先端との間に、他の建築用パネル１を水切部材２の被覆片２ｂに沿って、次の様に複数施工し、
イ．外側に前面基部１ｂを向けて固定した、建築用パネル１の嵌合溝１ｇに、
ロ．他の建築用パネル１の差込片１ｅを差込んで、
ハ．その釘打片１ｈを釘打ち等により固定し、
ニ．上記を繰り返して、前記の建築用パネル１を次の様に複数施工し、
ｅ．前記の固定した複数の止金４の掛止片４ｂに、次の様に、前記の被覆部材３を被せ、
イ．被覆部材３の両係止片３ｂ間を広げて、その間に止金４の掛止片４ｂを入れて、
ロ．その差込端３ｄを、建築用パネル１の前面基部１ｂとの間に、定位置になるまで差し込み、
ハ．両係止片３ｂが窄まり、その係止爪３ｃと、止金４の掛止爪４ｃとが引っ掛かり固定される。
【００２１】
実施例３
図４，図５，図７，図１３，図１４，図１５，及び図１６は、この発明の実施例３を示すものである。
【００２２】
Ａ．実施例３の建築用パネル１は、図７に示す、実施例１と同じものである。
【００２３】
Ｂ．実施例３の水切部材２は、図４に示す、実施例１と同じものである。
【００２４】
Ｃ．実施例３の被覆部材３は、図５に示す、実施例１と同じものである。
【００２５】
Ｄ．図１６に示す、実施例３の止金４は、
ａ．略矩形の金属板６を成形して、
ｂ．ほぼ平坦で細長な矩形の固定面４ａを形成し、
ｃ．その固定面４ａの両短辺をＬ字形に表面に折り曲げて、次の構成の掛止片４ｂを形成し、
イ．前記の固定面４ａ側を底辺とする等脚台形とし、その底辺側の両隅角部を固定面４ａより広げた、掛止爪４ｃとする。
【００２６】
Ｅ．図１３，図１４，及び図１５に示す実施例３の、建築用パネル１と他の建築用パネル１との切断端１ｋ間の接続部は、次の様に施工する。
ａ．壁下地５の柱５ｂの外壁側に、複数の胴縁５ａを施工し、
ｂ．その胴縁５ａの外壁側に、
イ．外側に前面基部１ｂを向けて固定した、建築用パネル１の嵌合溝１ｇに、
ロ．他の建築用パネル１の差込片１ｅを差込んで、
ハ．その釘打片１ｈを釘打ち等により固定し、
ニ．上記を繰り返して、前記の建築用パネル１を複数施工し、
ｃ．その複数施工した建築用パネル１の切断端１ｋを、前記の水切部材２の被覆片２ｂにより覆い、その固定片２ａを釘打ち等により前記の胴縁５ａに固定し、
ｄ．その固定した水切部材２の固定片２ａに、他の建築用パネル１を上記したように複数施工し、
ｅ．その施工した建築用パネル１の切断端１ｋに合わせて、前記の止金４の固定面４ａを釘打ち等により固定し、同様に複数の止金４を固定し、
ｆ．その固定した止金４の掛止片４ｂに、次の様に、前記の被覆部材３を被せ、イ．被覆部材３の両係止片３ｂ間に、止金４の掛止片４ｂを入れて押しつけ、
ロ．掛止片４ｂにより、両係止片３ｂが押し広げられて、被覆部材３が定位置まで押し込まれ、
ハ．両係止片３ｂが窄まり、その係止爪３ｃと、止金４の掛止爪４ｃとが引っ掛かり固定される。
【００２７】
実施例４
図４，図７，図１１，図１７，図１８，図１９，及び図２２は、この発明の実施例４を示すものである。
【００２８】
Ａ．実施例４の建築用パネル１は、図７に示す、実施例１と同じものである。
【００２９】
Ｂ．実施例４の水切部材２は、図４に示す、実施例１と同じものである。
【００３０】
Ｃ．実施例４の被覆部材３は、図１１に示す、実施例２と同じものである。
【００３１】
Ｄ．図１７に示す、実施例４の止金４は、
ａ．略矩形の金属板６を成形して、
ｂ．ほぼ平坦で細長な矩形の固定面４ａを形成し、
ｃ．その固定面４ａの両短辺をＬ字形に表面に折り曲げて、次の構成の掛止片４ｂを形成し、
イ．前記の固定面４ａ側を底辺とする略不等脚台形とし、
ロ．その一長辺側の脚辺に鋭角的な掛止爪４ｃを形成し、
ハ．他の脚辺を鈍角で直線から、くの字形に曲がる曲線であり、同時に長辺方内方に曲がる掛止板４ｈを形成し、
ニ．その掛止板４ｈの短辺方内方の端部に、掛止爪４ｃを形成する。
【００３２】
Ｅ．図１８，図１９，及び図２０に示す実施例４の、建築用パネル１と他の建築用パネル１との切断端１ｋ間の接続部は、次の様に施工する。
ａ．壁下地５の柱５ｂの外壁側に、複数の胴縁５ａを施工し、
ｂ．その胴縁５ａの外壁側に、
イ．外側に前面基部１ｂを向けて固定した、建築用パネル１の嵌合溝１ｇに、
ロ．他の建築用パネル１の差込片１ｅを差込んで、
ハ．その釘打片１ｈを釘打ち等により固定し、
ニ．上記を繰り返して、前記の建築用パネル１を複数施工し、
ｃ．その複数施工した建築用パネル１の切断端１ｋを、前記の水切部材２の被覆片２ｂにより覆い、その固定片２ａを釘打ち等により前記の胴縁５ａに固定し、
ｄ．その固定した水切部材２の固定片２ａに、他の建築用パネル１を上記したように複数施工し、
ｅ．その施工した建築用パネル１の切断端１ｋに合わせて、前記の止金４の固定面４ａを釘打ち等により固定し、同様に複数の止金４を固定し、
ｆ．その固定した複数の止金４の掛止片４ｂに、次の様に、前記の被覆部材３を被せ、
イ．被覆部材３の両係止片３ｂ間を広げて、その間に止金４の掛止片４ｂを入れて、
ロ．その差込端３ｄを、建築用パネル１の前面基部１ｂとの間に、定位置になるまで差し込み、
ハ．両係止片３ｂが窄まり、その係止爪３ｃと、止金４の掛止爪４ｃとが引っ掛かり固定される。
【００３３】
実施例５
図４，図５，図２１，図２２，図２３，図２４，及び図２５は、この発明の実施例５を示すものである。
【００３４】
Ａ．図２６に示す、実施例５での建築用パネル１は、
ａ．金属板６による表面材１ａを成形して、
ｂ．エンボス模様６ｂによる装飾面１ｃを持つ、実施例１と同様な、ほぼ平坦な前面基部１ｂを構成し、
ｃ．その前面基部１ｂの一側端を、
イ．裏面側にコの字形に折りまげて、
ロ．さらに、Ｕ字形に表面側に折り返し、
ハ．そして、その先端を裏面側に折り狭めた差込片１ｅを持つ、差込部１ｄを形成し、
ｄ．前記、前面基部１ｂの他側端を、
イ．クランク状に裏面側に折り曲げ、
ロ．そして、Ｕ字形に裏面側に折り曲げて、
ハ．さらに、Ｕ字形に表面側に折り返した嵌合溝１ｇと、
ニ．その嵌合溝１ｇを延長し、先端を表面側に折り狭めた釘打片１ｈとを持つ、釘打部１ｆを形成し、
ｅ．そして、その成形した表面材１ａの裏面側に、
イ．裏面紙１ｊにより覆われた発泡ウレタン樹脂による、裏打材１ｉを形成し、
ｆ．その長手方向の両端を切断して、切断端１ｋを形成している。
【００３５】
Ｂ．実施例５の水切部材２は、図４に示す、実施例１と同じものである。
【００３６】
Ｃ．実施例５の被覆部材３は、図５に示す、実施例１と同じものである。
【００３７】
Ｄ．図２４に示す、実施例５の止金４は、
ａ．略矩形の金属板６を成形して、
ｂ．実施例３においての止金４の、固定面４ａの中央部に、コの字形に裏面側に折り曲げた案内溝４ｇを形成した止金４とする。
【００３８】
Ｅ．図２１，図２２，図２３，及び図２５に示す実施例５の、土台部における建築用パネル１の切断端１ｋは、次の様に施工する。
ａ．基礎５ｄの上に施工した、壁下地５の土台５ｃの外壁側に、胴縁５ａを施工し、
ｂ．その基礎５ｄの外壁側の上隅角と、その胴縁５ａの外壁側とを、前記の水切部材２の被覆片２ｂと固定片２ａとにより覆い、その固定片２ａを釘打ち等により前記の胴縁５ａに固定し、
ｃ．その固定した水切部材２の固定片２ａに、建築用パネル１を水切部材２の被覆片２ｂに沿って、次の様に複数施工し、
イ．外側に前面基部１ｂを向けて固定した、建築用パネル１の嵌合溝１ｇに、
ロ．他の建築用パネル１の差込片１ｅを差込んで、
ハ．その釘打片１ｈを釘打ち等により固定し、
ニ．上記を繰り返して、前記の建築用パネル１を複数施工し、
ホ．前面基部１ｂと前面基部１ｂとの間に、目地部１１を形成し、
ｄ．その施工した建築用パネル１の切断端１ｋに、次の様に複数の止金４を固定し、
イ．前記の止金４の固定面４ａの案内溝４ｇを、前記の建築用パネル１の目地部１１に入れ込み、釘打ち等により固定し、同様に複数の止金４を固定し、
ｅ．前記の固定した複数の止金４の掛止片４ｂに、次の様に、前記の被覆部材３を被せ、
イ．被覆部材３の両係止片３ｂ間に、止金４の掛止片４ｂを入れて押しつけ、
ロ．掛止片４ｂにより、両係止片３ｂが押し広げられて、被覆部材３が定位置まで押し込まれ、
ハ．両係止片３ｂが窄まり、その係止爪３ｃと、止金４の掛止爪４ｃとが引っ掛かり固定される。
【００３９】
【発明の効果】
上記のような、この発明による壁部材には、次の様な効果がある。
【００４０】
Ａ．建築用パネルの接続部を覆う被覆部材を、建築用パネルの施工後に固定する壁部材とする為に、
ａ．建築用パネルの施工により壁部材を傷つけることが無くなり、
イ．施工性が向上する。
【００４１】
Ｂ．壁面にほぼ直交して取り付けた掛止片により、被覆部材を支持する為、
ａ．上方の建築用パネルよりの雨水が、被覆部材に溜まらず、
ｂ．継手部の雨水の滞留が防げて、外壁パネルの耐腐食性等が向上する。
【００４２】
Ｃ．被覆部材に断続的な水抜き孔を開ける必要が無くなり、
ａ．ロールフォーミング等の生産性が向上し、
ｂ．水抜き孔による部材強度の低下が防止され、生産、運搬、施工途中の変形を防止し、
イ．ハンドリングが向上する。
【００４３】
Ｄ．止金の固定面を、壁下地に固定する壁部材の場合は、
ａ．建築用屋根の施工の、ばらつき等の影響を受けず、
イ．施工性が向上する。
【００４４】
Ｅ．止金の固定面を、建築用パネル面に固定する壁部材の場合は、
ａ．施工場所が、建築用パネルの切断端以外にも施工可能になり、
イ．施工の自由度が向上する。
【００４５】
Ｆ．建築用パネルと他の建築用パネルの間に構成する、目地部に入れ込む、止金の固定面に案内溝を形成した壁部材の場合は、
ａ．案内溝がガイドとなり、止金の傾きを防止して、、
イ．施工性が向上する。
【００４６】
Ｇ．被覆部材の係止爪を、建築用パネル面と止金間に差し込む差込端を形成する壁部材の場合は、
ａ．差込端と止金との引っ掛かりが強固になり、
イ．被覆部材の外れが防止できる。
【００４７】
Ｈ．止金の掛止爪が弾性変形し、前記被覆部材の差込端が差し込まれる壁部材の場合は、
ａ．差込端が、建築用パネル面と止金との間に、容易に差し込み可能になり、
イ．施工性が向上する。
Ｉ．上下方向に接続する水切部材を介して接続し、上側の建築用パネルの下側の切断端を、この発明の壁部材により被覆する壁水切構造の場合は、
ａ．切断端を視覚的に被覆して、
イ．建築用パネル面の美観が向上し、
ｂ．切断端を風雨から絶縁して、
イ．壁面の水密性が向上する。
【図面の簡単な説明】
【図１】実施例１の施工状態を示す一部省略端面図
【図２】実施例１の施工状態を示す一部省略斜視図
【図３】実施例１の施工過程を示す一部省略端面図
【図４】実施例１〜５の水切部材の一部省略斜視図
【図５】実施例１、実施例３、及び実施例５の被覆部材の一部省略斜視図
【図６】実施例１の止金の斜視図
【図７】実施例１〜４の建築用パネルを示す一部省略斜視図
【図８】実施例２の施工状態を示す一部省略端面図
【図９】実施例２の施工状態を示す一部省略斜視図
【図１０】実施例２の施工過程を示す一部省略端面図
【図１１】実施例２及び実施例４の被覆部材の一部省略斜視図
【図１２】実施例２の止金の斜視図
【図１３】実施例３の施工状態を示す一部省略端面図
【図１４】実施例３の施工状態を示す一部省略斜視図
【図１５】実施例３の施工過程を示す一部省略端面図
【図１６】実施例３の止金の斜視図
【図１７】実施例４の止金の斜視図
【図１８】実施例４の施工状態を示す一部省略端面図
【図１９】実施例４の施工状態を示す一部省略斜視図
【図２０】実施例４の施工過程を示す一部省略端面図
【図２１】実施例５の施工状態を示す一部省略端面図
【図２２】実施例５の施工状態を示す一部省略斜視図
【図２３】実施例５の施工過程を示す一部省略端面図
【図２４】実施例５の止金の斜視図
【図２５】実施例５の施工状態を示す一部省略平面図
【図２６】実施例５の建築用パネルを示す一部省略斜視図
【符号の説明】
１　建築用パネル
２　水切部材
３　被覆部材
４　止金
５　壁下地
６　金属板
【図１】
2004019432.tif 000003
【図２】
2004019432.tif 000004
【図３】
2004019432.tif 000005
【図４】
2004019432.tif 000006
【図５】
2004019432.tif 000007
【図６】
2004019432.tif 000008
【図７】
2004019432.tif 000009
【図８】
2004019432.tif 000010
【図９】
2004019432.tif 000011
【図１０】
2004019432.tif 000012
【図１１】
2004019432.tif 000013
【図１２】
2004019432.tif 000014
【図１３】
2004019432.tif 000015
【図１４】
2004019432.tif 000016
【図１５】
2004019432.tif 000017
【図１６】
2004019432.tif 000018
【図１７】
2004019432.tif 000019
【図１８】
2004019432.tif 000020
【図１９】
2004019432.tif 000021
【図２０】
2004019432.tif 000022
【図２１】
2004019432.tif 000023
【図２２】
2004019432.tif 000024
【図２３】
2004019432.tif 000025
【図２４】
2004019432.tif 000026
【図２５】
2004019432.tif 000027
【図２６】
2004019432.tif 000028